(57)【要約】【課題】簡単な構造で様々な飲料を提供することができる飲料サーバーを提供する。【解決手段】飲料サーバー（１００）は、液体飲料が充填されている真空パック袋（１１２）と、真空パック袋から突出している排出口（１１１）と、からなる液体飲料袋（１１０）と、液体飲料袋を収納するサーバー本体（１２０）と、サーバー本体に取り付けられた蛇口（１３０）と、からなる。蛇口は液体飲料袋の数よりも少なくない数だけ設けられており、飲料サーバーの使用時には、サーバー本体の内部において液体飲料袋の排出口を蛇口に差し込んで使用する。【選択図】図１
0003125475.tif 000002
【実用新案登録請求の範囲】
【請求項１】
液体飲料が充填されている真空パック袋と、前記真空パック袋から突出している排出口と、からなる少なくとも一つの液体飲料袋と、
前記液体飲料袋を収納するサーバー本体と、
前記サーバー本体に取り付けられた蛇口と、
からなる飲料サーバーであって、
前記蛇口は前記液体飲料袋と同数または前記液体飲料袋の数よりも多い数だけ設けられており、
前記飲料サーバーの使用時には、前記サーバー本体の内部において前記液体飲料袋の前記排出口を前記蛇口に差し込んで使用するものである飲料サーバー。
【請求項２】
前記液体飲料袋を二つ以上備えており、
保冷剤からなる仕切り板をさらに備え、前記仕切り板は隣接する前記液体飲料袋の間に配置されることを特徴とする請求項１に記載の飲料サーバー。
【請求項３】
前記液体飲料袋を二つ以上備えており、
全ての前記液体飲料袋の前記排出口を全ての前記蛇口に連通する連通ホースをさらに備えることを特徴とする請求項１または２に記載の飲料サーバー。
【請求項４】
前記飲料液体袋の上に載せる重しをさらに備えることを特徴とする請求項１乃至３のいずれか一項に記載の飲料サーバー。
【考案の詳細な説明】
【技術分野】
【０００１】
本考案は飲料サーバーに関する。
【背景技術】
【０００２】
これまでに種々の飲料サーバーが提案されている。
【０００３】
例えば、特開２００１−２６１０９９号公報に開示されている飲料ディスペンサは、ディスペンサ本体と、ディスペンサ本体に配設された複数の飲料注出機構とを備えている。各飲料注出機構における注出コックの操作用レバーは、各飲料注出機構に対応する駆動装置により操作される。各駆動装置はディスペンサ本体に対して上下方向に移動可能に構成され、各駆動装置の前面に配設された操作パネルは飲料注出機構が配設されている方向と同方向に移動可能に構成されている。
【考案の開示】
【考案が解決しようとする課題】
【０００４】
上記公報に開示されている飲料ディスペンサは複雑な構造を有しているため、適量の飲料を注出することが可能である。例えば、操作用レバーの操作に応じて、ビールとビールの泡とをそれぞれ適量ずつコップに注出することが可能である。
【０００５】
これに対して、もっと簡単な構造で様々な飲料を注出する飲料サーバーに対する需要も依然として存在している。
【０００６】
本考案はこのような需要を満足させるためになされたものであり、簡単な構造で様々な飲料を提供することができる飲料サーバーを提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、液体飲料が充填されている真空パック袋（１１２）と、前記真空パック袋（１１２）から突出している排出口（１１１）と、からなる少なくとも一つの液体飲料袋（１１０）と、前記液体飲料袋（１１０）を収納するサーバー本体（１２０）と、前記サーバー本体（１２０）に取り付けられた蛇口（１３０）と、からなる飲料サーバー（１００）であって、前記蛇口（１３０）は前記液体飲料袋（１１０）と同数または前記液体飲料袋（１１０）の数よりも多い数だけ設けられており、前記飲料サーバー（１００）の使用時には、前記サーバー本体（１２０）の内部において前記液体飲料袋（１１０）の前記排出口（１１１）を前記蛇口（１３０）に差し込んで使用するものである飲料サーバー（１００）を提供する。
【０００９】
前記液体飲料袋（１１０）を二つ以上備えている場合、本考案に係る飲料サーバー（１００）は保冷剤からなる仕切り板（２１０）をさらに備えることが好ましい。前記仕切り板（２１０）は隣接する前記液体飲料袋（１１０）の間に配置される。
【００１０】
前記液体飲料袋真空パック袋１１２を二つ以上備えている場合、本考案に係る飲料サーバー（１００）は全ての前記液体飲料袋（１１０）の前記排出口（１１１）を全ての前記蛇口（１３０）に連通する連通ホース（３１０）をさらに備えることが好ましい。
【００１１】
本考案に係る飲料サーバー（１００）は前記飲料液体袋（１１０）の上に載せる重し（１４０）をさらに備えることが好ましい。
【考案の効果】
【００１２】
本考案に係る飲料サーバーによれば、従来の飲料ディスペンサと比較して、より簡単な構造の飲料サーバーを得ることができる。
【００１３】
また、各飲料液体袋に異なる飲料を充填することにより、一つの飲料サーバーで複数種類の飲料を提供することができる。
【００１４】
あるいは、各飲料液体袋に同種の飲料を充填することにより、効率的にその飲料を提供することができる。
【考案を実施するための最良の形態】
【００１５】
（第一の実施形態）
図１は、本考案の第一の実施形態に係る飲料サーバー１００の分解斜視図である。
【００１６】
本実施形態に係る飲料サーバー１００は、液体飲料が充填されている二つの液体飲料袋１１０と、液体飲料袋１１０を収納するサーバー本体１２０と、サーバー本体１２０に取り付けられた二つの蛇口１３０と、から構成されている。
【００１７】
液体飲料袋１１０は、液体飲料が充填されている真空パック袋１１２と、真空パック袋１１２の下方に取り付けられたプラスチック製のパイプからなる排出口１１１と、から構成されている。
【００１８】
飲料サーバー１００の使用前の状態においては、排出口１１１を構成するパイプは閉じており、パイプの先端を切断し、パイプを開口させることにより、液体飲料袋１１０に充填されている液体飲料が排出口１１１を介して注出される。
【００１９】
サーバー本体１２０は上面が開口しており、全体として樽の形状をなしている。
【００２０】
二つの蛇口１３０はサーバー本体１２０の底面に近い位置において水平方向に配列されている。
【００２１】
以上のような構造を有する本実施形態に係る飲料サーバー１００は以下のようにして使用される。
【００２２】
まず、各飲料液体袋１１０の排出口１１１を構成するパイプの先端を切断して、パイプを開口させる。
【００２３】
次いで、飲料液体袋１１０をサーバー本体１２０の中に入れ、開口したパイプの先端を蛇口１３０に接続する。
【００２４】
以上のように、本実施形態に係る飲料サーバー１００によれば、従来の飲料ディスペンサと比較して、より簡単な構造の飲料サーバーを得ることができる。
【００２５】
また、各飲料液体袋１１０に異なる飲料を充填することにより、一つの飲料サーバーで複数種類の飲料を提供することができる。
【００２６】
あるいは、各飲料液体袋１１０に同種の飲料を充填することにより、効率的にその飲料を提供することができる。
【００２７】
なお、本実施形態に係る飲料サーバー１００においては、２個の飲料液体袋１１０を用いているが、飲料液体袋１１０の個数は２には限定されない。飲料液体袋１１０の最小個数は１であり、３個またはそれ以上の飲料液体袋１１０を用いることも可能である。
【００２８】
また、本実施形態に係る飲料サーバー１００においては、２個の蛇口１３０がサーバー本体１２０に取り付けられているが、蛇口１３０の個数は２には限定されない。蛇口１３０の個数としては、飲料液体袋１１０の数と同数か、あるいは、飲料液体袋１１０の数よりも多い数が選定される。例えば、４個の飲料液体袋１１０を用いる場合には、サーバー本体１２０には１個乃至４個の何れかの数の蛇口１３０が取り付けられる。
【００２９】
また、本実施形態に係る飲料サーバー１００においては、サーバー本体１２０は樽の形状をなしているが、サーバ本体１２０の形状は樽の形状に限定されるものではなく、任意の形状を取り得る。
【００３０】
また、本実施形態に係る飲料サーバー１００においては、飲料液体袋１１０に形成された排出口１１１に代えて、自動開閉バルブを備えたプラグを用いることができ、この場合には、蛇口１３０に代えて、流量調節機構を備えたソケットを用いることができる。このようなプラグ及びソケットを用いることにより、飲料液体袋１１０から流量を調整しながら飲料を出すことができる。
【００３１】
また、本実施形態に係る飲料サーバー１００においては、図１に示すように、飲料液体袋１１０の上に載せる重し１４０を用いることができる。
【００３２】
重し１４０の上面には、例えば、重し１４０を持ち運びするための把手１４１が取り付けられている。
【００３３】
重し１４０は飲料液体袋１１０に充填されている飲料に対して常に上方から圧力を作用させる。このため、飲料液体袋１１０の中の飲料は蛇口１３０を介して常に適量が供給される。
【００３４】
例えば、重し１４０としては、サーバー本体１２０の横断面と同一の形状をなしている重し１４０を用いることができる。このような形状の重し１４０はサーバー本体１２０の内壁に沿って下降することが可能である。
【００３５】
飲料液体袋１１０をサーバー本体１２０の中に装填した後、重し１４０をサーバー本体１２０の内壁の内部に嵌め込む。重し１４０は飲料液体袋１１０に対して上方から圧力を作用させる。これにより、飲料液体袋１１０の中の飲料が減るとともに、重し１４０はサーバー本体１２０の内壁に沿って降下し、飲料液体袋１１０の中の飲料に対して圧力を加え続ける。この結果、飲料液体袋１１０の中の飲料は蛇口１３０を介して常に適量が供給される。
【００３６】
（第二の実施形態）
図２は、第二の実施形態に係る飲料サーバー２００の部分的な分解斜視図である。
【００３７】
本実施形態に係る飲料サーバー２００においては、飲料液体袋１１０を２個以上使用する場合に、図２に示すように、仕切り板２１０を使用する。
【００３８】
仕切り板２１０は隣接する飲料液体袋１１０の間に配置される。
【００３９】
仕切り板２１０は、例えば、保冷剤からなるものとして構成される。
【００４０】
隣接する飲料液体袋１１０の間に仕切り板２１０を配置することにより、各飲料液体袋１１０が重なり合うことを防止することができ、重し１４０を使用する場合には、重し１４０による圧力を適切に各飲料液体袋１１０に作用させることができる。
【００４１】
さらに、仕切り板２１０を保冷剤から構成することにより、各飲料液体袋１１０に充填されている飲料の温度の上昇を遅らせることが可能である。
【００４２】
（第三の実施形態）
図３は、第二の実施形態に係る飲料サーバーにおいて使用する連通ホース３１０の斜視図である。
【００４３】
図３に示すように、連通ホース３１０は２個の注入口３１１ａ、３１１ｂと２個の注出口３１２ａ、３１２ｂとを備えており、各注入口３１１ａ、３１１ｂは注出口３１２ａ、３１２ｂの各々に連通している。すなわち、注入口３１１ａは２個の注出口３１２ａ、３１２ｂの双方に連通しており、注入口３１１ｂも２個の注出口３１２ａ、３１２ｂの双方に連通している。
【００４４】
２個の注入口３１１ａ、３１１ｂは複数の飲料液体袋１１０の中の二つの飲料液体袋１１０の排出口１１１に連結され、２個の注出口３１２ａ、３１２ｂは蛇口１３０に各々連結される。
【００４５】
上記のような構造を有する連通ホース３１０を使用することにより、各飲料液体袋１１０に異なる飲料を充填することにより、各飲料を混合した混合飲料を提供することが可能になる。
【００４６】
なお、本実施形態においては、連通ホース３１０は２個の注入口３１１ａ、３１１ｂ及び２個の注出口３１２ａ、３１２ｂを備えるものとして構成されているが、注入口及び注出口の個数は２には限定されない。３個以上の注入口及び注出口を連通ホース３１０に設けることも可能である。
【００４７】
さらに、注入口の個数と注入口の個数は必ずしも同数である必要はなく、異なる数であってもよい。
【図面の簡単な説明】
【００４８】
【図１】本考案の第一の実施形態に係る飲料サーバーの分解斜視図である。
【図２】本考案の第二の実施形態に係る飲料サーバーの部分的な分解斜視図である。
【図３】本考案の第三の実施形態に係る飲料サーバーにおいて使用する連通ホースの斜視図である。
【符号の説明】
【００４９】
１００  本考案の第一の実施形態に係る飲料サーバー
１１０  液体飲料袋
１１１  排出口
１１２  真空パック袋
１２０  サーバー本体
１３０  蛇口
１４０  重し
１４１  把手
２００  本考案の第二の実施形態に係る飲料サーバー
２１０  仕切り板
３１０  連通ホース
【図１】
0003125475.tif 000003
【図２】
0003125475.tif 000004
【図３】
0003125475.tif 000005